(57)【要約】【課題】  携帯受信機と固定受信機は、互いに独立しており、固定受信機の選局を行うためには固定受信機用の専用リモコンを利用して、現在携帯受信機で視聴している番組にチャンネルを合わせる必要がある。【解決手段】  本件発明は、上記課題に鑑みなされたものであり、携帯受信機で地上デジタルテレビを視聴中の視聴者が、固定受信機で視聴可能な環境に移動した際、簡単な操作で固定受信機の視聴番組を携帯受信機で視聴中の番組に合わせることをひとつの目的としている。  また、固定受信機で地上デジタルテレビを視聴中の視聴者が、固定受信機のない環境に移動するときに、携帯受信機でそれまで視聴していた番組を継続して視聴するというものである。本件発明では、このような利用形態の際に、簡単な操作で携帯受信機の視聴番組を固定受信機で視聴中の番組に合わせることをもうひとつの目的としている。【選択図】  図１
2006067198.tif 000002
【特許請求の範囲】
【請求項１】
地上デジタルテレビ放送を受信するための携帯受信機と、地上デジタルテレビ放送を受信するための固定受信機と、からなる地上デジタルテレビ選局システムであって、
前記携帯受信機は、
視聴のために出力中の番組に関する出力中番組情報を取得する第一出力中番組情報取得部と、
前記第一出力中番組情報取得部が取得した出力中番組情報を前記固定受信機に送信する第一出力中番組情報送信部と、を有し、
前記固定受信機は、
前記携帯受信機の第一出力中番組情報送信部が送信した出力中番組情報を受信する第二出力中番組情報受信部と、
前記第二出力中番組情報受信部が受信した出力中番組情報に基づいて地上デジタルテレビ放送の選局をする第二出力中番組情報依存選局部と、
を有する
地上デジタルテレビ選局システム。
【請求項２】
地上デジタルテレビ放送を受信するための固定受信機と、地上デジタルテレビ放送を受信するための携帯受信機と、からなる地上デジタルテレビ選局システムであって、
前記固定受信機は、
視聴中のために出力中の番組に関する出力中番組情報を取得する第二出力中番組情報取得部と、
前記第二出力中番組情報取得部が取得した出力中番組情報を前記携帯受信機に送信する第二出力中番組情報送信部と、を有し、
前記携帯受信機は、
前記固定受信機の第二出力中番組情報送信部が送信した出力中番組情報を受信する第一出力中番組情報受信部と、
前記第一出力中番組情報受信部が受信した出力中番組情報に基づいて地上デジタルテレビ放送の選局をする第一出力中番組情報依存選局部と、
を有する
地上デジタルテレビ選局システム。
【請求項３】
請求項１に記載の携帯受信機。
【請求項４】
請求項１に記載の固定受信機。
【請求項５】
請求項２に記載の固定受信機。
【請求項６】
請求項２に記載の携帯受信機。
【請求項７】
前記出力中番組情報には、携帯受信機において出力中の番組の受信周波数、ネットワークＩＤ、ネットワーク名、サービスＩＤ、サービス名、リモコンキーＩＤ、ＴＳ（トランスポートストリーム）−ＩＤ、ＴＳ名のいずれかが含まれることを特徴とする請求項１に記載の地上デジタルテレビ選局システム。
【請求項８】
前記出力中番組情報には、前記固定受信機が出力中の番組の受信周波数、ネットワークＩＤ、ネットワーク名、サービスＩＤ、サービス名、リモコンキーＩＤ、ＴＳ（トランスポートストリーム）−ＩＤ、ＴＳ名のいずれかが含まれることを特徴とする請求項２に記載の地上デジタルテレビ選局システム。
【請求項９】
前記携帯受信機の第一出力中番組情報送信部と前記固定受信機の第二出力中番組情報受信部との通信、あるいは前記固定受信機の第二出力中番組情報送信部と前記携帯受信機の第一出力中番組情報受信部との通信は赤外線通信であることを特徴とする請求項１、２、７、８のいずれか一に記載の地上デジタルテレビ選局システム。
【請求項１０】
前記携帯受信機の第一出力中番組情報送信部と前記固定受信機の第二出力中番組情報受信部との通信、あるいは前記固定受信機の第二出力中番組情報送信部と前記携帯受信機の第一出力中番組情報受信部との通信はＢｌｕｅＴｏｏｔｈを利用した無線通信であることを特徴とする請求項１、２、７、８のいずれか一に記載の地上デジタルテレビ選局システム。
【請求項１１】
前記携帯受信機の第一出力中番組情報送信部と前記固定受信機の第二出力中番組情報受信部との通信、あるいは前記固定受信機の第二出力中番組情報送信部と前記携帯受信機の第一出力中番組情報受信部との通信は有線通信であることを特徴とする請求項１、２、７、８のいずれか一に記載の地上デジタルテレビ選局システム。
【発明の詳細な説明】
【技術分野】
【０００１】
本件発明は、地上デジタル放送を受信する固定受信機と携帯受信機とからなる地上デジタル放送の選局システムに関する。
【背景技術】
【０００２】
地上デジタル放送には、固定受信機向けの放送と携帯受信機向けの放送があるが、固定受信機のほうが画面も大きく、データ放送の情報量も多い等、携帯受信機に比べ放送内容が充実している。このため、携帯受信機で地上デジタル放送を視聴中の視聴者が、自宅等の固定受信機を見ることのできる環境に移動した場合には、それまで視聴していた番組を固定受信機で視聴するという利用形態が多いと考えられる。
【特許文献１】特開２００２−１９９３０１
【発明の開示】
【発明が解決しようとする課題】
【０００３】
しかしながら、携帯受信機と固定受信機は、互いに独立しており、固定受信機の選局を行うためには固定受信機用の専用リモコンを利用して、現在携帯受信機で視聴している番組にチャンネルを合わせる必要がある。さらに専用リモコンを利用して選局を行う場合には、視聴者は自分が選択するチャンネルがリモコンのどのキーに割り当てられているかを把握しておく必要がある。しかし地上デジタルテレビ放送においては、チャンネル数が多いため、チャンネルとリモコンキーの割当てを覚えることが難しく、またリモコン操作が煩わしくなり、直ちに選局することが困難となる。
【課題を解決するための手段】
【０００４】
本件発明は、上記課題に鑑みなされたものであり、携帯受信機で地上デジタルテレビを視聴中の視聴者が、固定受信機で視聴可能な環境に移動した際、簡単な操作で固定受信機の視聴番組を携帯受信機で視聴中の番組に合わせることをひとつの目的としている。
【０００５】
また、固定受信機で地上デジタルテレビを視聴中の視聴者が、固定受信機のない環境に移動するときに、携帯受信機でそれまで視聴していた番組を継続して視聴するというものである。本件発明では、このような利用形態の際に、簡単な操作で携帯受信機の視聴番組を固定受信機で視聴中の番組に合わせることをもうひとつの目的としている。
【０００６】
第一の発明は、地上デジタルテレビ放送を受信するための携帯受信機と、地上デジタルテレビ放送を受信するための固定受信機と、からなる地上デジタルテレビ選局システムであって、前記携帯受信機は、視聴のために出力中の番組に関する出力中番組情報を取得する第一出力中番組情報取得部と、前記第一出力中番組情報取得部が取得した出力中番組情報を前記固定受信機に送信する第一出力中番組情報送信部と、を有し、前記固定受信機は、前記携帯受信機の第一出力中番組情報送信部が送信した出力中番組情報を受信する第二出力中番組情報受信部と、前記第二出力中番組情報受信部が受信した出力中番組情報に基づいて地上デジタルテレビ放送の選局をする第二出力中番組情報依存選局部と、を有する地上デジタルテレビ選局システムに関する。
【０００７】
第二の発明は、地上デジタルテレビ放送を受信するための固定受信機と、地上デジタルテレビ放送を受信するための携帯受信機と、からなる地上デジタルテレビ選局システムであって、前記固定受信機は、視聴中のために出力中の番組に関する出力中番組情報を取得する第二出力中番組情報取得部と、前記第二出力中番組情報取得部が取得した出力中番組情報を前記携帯受信機に送信する第二出力中番組情報送信部と、を有し、前記携帯受信機は、前記固定受信機の第二出力中番組情報送信部が送信した出力中番組情報を受信する第一出力中番組情報受信部と、前記第一出力中番組情報受信部が受信した出力中番組情報に基づいて地上デジタルテレビ放送の選局をする第一出力中番組情報依存選局部と、を有する地上デジタルテレビ選局システムに関する。
第三の発明は、第一の発明に記載の携帯受信機に関する。
第四の発明は、第一の発明に記載の固定受信機に関する。
第五の発明は、第二の発明に記載の固定受信機に関する。
第六の発明は、第二の発明に記載の携帯受信機に関する。
【０００８】
第七の発明は、前記出力中番組情報には、携帯受信機において出力中の番組の受信周波数、ネットワークＩＤ、ネットワーク名、サービスＩＤ、サービス名、リモコンキーＩＤ、ＴＳ（トランスポートストリーム）−ＩＤ、ＴＳ名のいずれかが含まれることを特徴とする第一の発明に記載の地上デジタルテレビ選局システムに関する。
【０００９】
第八の発明は、前記出力中番組情報には、前記固定受信機が出力中の番組の受信周波数、ネットワークＩＤ、ネットワーク名、サービスＩＤ、サービス名、リモコンキーＩＤ、ＴＳ（トランスポートストリーム）−ＩＤ、ＴＳ名のいずれかが含まれることを特徴とする第二の発明に記載の地上デジタルテレビ選局システムに関する。
【００１０】
第九の発明は、前記携帯受信機の第一出力中番組情報送信部と前記固定受信機の第二出力中番組情報受信部との通信、あるいは前記固定受信機の第二出力中番組情報送信部と前記携帯受信機の第一出力中番組情報受信部との通信は赤外線通信であることを特徴とする第一の発明、第二の発明、第七の発明、第八の発明のいずれか一に記載の地上デジタルテレビ選局システムに関する。
【００１１】
第十の発明は、前記携帯受信機の第一出力中番組情報送信部と前記固定受信機の第二出力中番組情報受信部との通信、あるいは前記固定受信機の第二出力中番組情報送信部と前記携帯受信機の第一出力中番組情報受信部との通信はＢｌｕｅＴｏｏｔｈを利用した無線通信であることを特徴とする第一の発明、第二の発明、第七の発明、第八の発明のいずれか一に記載の地上デジタルテレビ選局システムに関する。
【００１２】
第十一の発明は、前記携帯受信機の第一出力中番組情報送信部と前記固定受信機の第二出力中番組情報受信部との通信、あるいは前記固定受信機の第二出力中番組情報送信部と前記携帯受信機の第一出力中番組情報受信部との通信は有線通信であることを特徴とする第一の発明、第二の発明、第七の発明、第八の発明のいずれか一に記載の地上デジタルテレビ選局システムに関する。
【発明の効果】
【００１３】
本件発明の地上デジタルテレビ選局システムによれば、携帯受信機で地上デジタル放送の番組を視聴していた視聴者が、固定受信機の周辺に移動した場合に、簡単な操作で携帯受信機で視聴中の番組と同じ番組を固定受信機で視聴することが可能となる。また逆に、固定受信機で番組を視聴していた視聴者が、簡単な操作で携帯受信機で同じ番組を視聴することも可能となるため、固定受信機と携帯受信機での番組視聴を連続的に行うことができる。
【発明を実施するための最良の形態】
【００１４】
以下に本件発明の実施形態を説明する。実施形態と、請求項との関係はおおむね次のようなものである。
実施形態１は、主に、請求項１、３、４、７、９、１０、１１などについて説明している。
実施形態２は、主に、請求項２、５、６、８、９、１０、１１などについて説明している。
以下に、図を用いて本発明の実施の形態を説明する。なお、本発明はこれら実施の形態に何ら限定されるものではなく、その要旨を逸脱しない範囲において、種々なる態様で実施しうる。
【００１５】
<<実施形態１>>
以下に、実施形態１について説明する。
【００１６】
<実施形態１の概念>
以下に、本実施形態の概念について説明する。
図１は、本実施形態の概念の一例を説明するための図である。現在、視聴者は、携帯受信機０１０１で地上デジタルテレビ放送のサッカー番組（ＢＳ−１：１チャンネル）を視聴しているものとする。ここで視聴者が固定受信機０１０２の近くに場所を移動して、現在携帯受信機で視聴中の番組を継続して固定受信機で視聴したい場合、視聴者は、携帯受信機の固定受信機選択ボタンを押下する（ステップ１）。すると、携帯受信機は現在ディスプレイに出力中の番組情報（チャンネル：ＢＳ−１  １チャンネル、番組：サッカー）を固定受信機に送信する（ステップ２）。携帯受信機から番組情報（チャンネル：ＢＳ−１  １チャンネル、番組：サッカー）を受信した固定受信機は、受信した番組情報に基づいて「ＢＳ−１：１チャンネル、サッカー」を選局する（ステップ３）。
【００１７】
<構成要件の明示>
以下に、本実施形態の構成要件を明示する。
図２は、本実施形態の地上デジタルテレビ選局システムの機能ブロックの一例を示す図である。地上デジタルテレビ選局システム０２００は、携帯受信機０２０１と、固定受信機０２０４と、からなる。携帯受信機は、第一出力中番組情報取得部０２０２と、第一出力中番組情報送信部０２０３と、からなる。固定受信機は、第二出力中番組情報受信部０２０５と、第二出力中番組情報依存選局部０２０６と、からなる。
【００１８】
<構成要件の説明>
以下に、本実施形態の構成要件について説明する。
【００１９】
<携帯受信機>
（第一出力中番組情報取得部）
「第一出力中番組情報取得部」は、出力中番組情報を取得するように構成されている。ここで「出力中番組情報」とは、視聴のために出力中の番組に関する情報のことをいう。出力中番組情報には、一例として、携帯受信機において出力中の番組の受信周波数、ＰＳＩ、ＳＩ、ＮＩＴ、ＰＡＴ、ＰＭＴ、ネットワークＩＤ、ネットワーク名、サービスＩＤ、サービス名、リモコンキーＩＤ、ＴＳ（トランスポートストリーム）−ＩＤ、ＴＳ名などが挙げられる。第一出力中番組情報取得部は、取得した出力中番組情報を、第一出力中番組情報送信部に出力する。
【００２０】
以下に、地上デジタルテレビ放送における出力中番組情報に関連する用語について説明する。なお、後述するＭＰＥＧ２及び当該ＭＰＥＧ２システムを採用した地上デジタルテレビ放送の規格については既知であるため、その詳細についての説明は省略している。
【００２１】
地上デジタルテレビ放送においては、映像符号化方式として、ＭＰＥＧ２（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ  ２）の動画像圧縮符号化技術が採用されている。また、その多重化方式としてＭＰＥＧ２システムが採用されている。ＭＰＥＧ２システムを利用した地上デジタルテレビ放送では、一般に、ニュースやドラマなどのように開始時刻・終了時刻が定められた各々の放送番組のことをイベントと称し、複数のイベントが連続して編成されたプログラムのことをサービスと称する。そして、複数のサービスが、ＴＳ（Ｔｒａｎｓｐｏｒｔ  Ｓｔｒｅａｍ：トランスポートストリーム）とされ、このＴＳが変調されて、放送波として送信される。ＴＳは、ＰＥＳ（Ｐａｃｋｅｔｉｚｅｄ  Ｅｌｅｍｅｎｔａｒｙ  Ｓｔｒｅａｍ）を分割し、３２ｂｉｔのヘッダを含む１８８ｂｙｔｅ単位の大きさにしたものである。ここで「ＰＥＳ」とは、ＥＳ（Ｅｌｅｍｅｎｔａｒｙ  Ｓｔｒｅａｍ）を、画像ならフレーム単位、音声ならブロック単位などの意味のある単位ごとにパケット化したもののことをいう。ＰＥＳには時刻情報が含まれており、この時刻情報を用いて映像と音声の同期を取ることができる。また「ＥＳ」とは、符号化された映像、音声等のことをいう。ＴＳの各パケットには、ＰＩＤ（Ｐａｃｋｅｔ  ＩＤｅｎｔｉｆｉｃａｔｉｏｎ：パケット識別子）と呼ばれる１３ビットの情報が含まれる。これは各パケットのそれぞれが何を伝送しているものか示すためのものである。同一の画像、同一の音声はそれぞれ同じＰＩＤを持つため、ＴＳを受信した側はそれを用いて元のＰＥＳに戻すことが可能である。
【００２２】
そして地上デジタルテレビ放送における選局においては、ＭＰＥＧ２システムに規定されているＰＳＩ（Ｐｒｏｇｒａｍ  Ｓｐｅｃｉｆｉｃ  Ｉｎｆｏｒｍａｔｉｏｎ：番組特定情報）、ＳＩ（Ｓｅｒｖｉｃｅ  Ｉｎｆｏｒｍａｔｉｏｎ）と呼ばれる番組関連情報に関するテーブルが利用される。ここで「ＳＩ」とは、ＰＳＩ情報を拡張し、番組情報などを含めたもののことをいう。ＳＩによって番組名や番組表（ＥＰＧ）などが送信される。ＰＳＩには、ＰＡＴ（Ｐｒｏｇｕｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＣＡＴ（Ｃｏｎｄｉｔｉｏｎａｌ  Ａｃｃｅｓｓ  Ｔａｂｌｅ）などが含まれる。またＳＩには、ＮＩＴ（Ｎｅｔｗｏｒｋ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）、ＴＯＴ（Ｔｉｍｅ  Ｏｆｆｓｅｔ  Ｔａｂｌｅ）などが含まれる。ここで「ＰＡＴ」とは、あるＴＳ内で行われているサービスの一覧を、各サービスを示すＰＭＴ（後述する）のＰＩＤ一覧を格納した情報のことをいう。「ＰＭＴ」とは、あるサービスに含まれる画像や音声などのＰＩＤを格納した情報のことをいう。ＰＭＴから画像や音声などのＰＩＤを得ることが出来れば、それらＰＩＤのついたパケットを集めることによって元の動画を再生することが可能となる。「ＣＡＴ」とは、個別情報を記したパケットのＰＩＤ一覧を格納したもののことをいう。ここで「個別情報」とは、有料放送、コピー禁止などの個別の情報のことをいう。「ＮＩＴ」とは、チャンネル番号や変調方式、ガードインターバルなど、送信するネットワークに関する情報のことをいう。「ＳＤＴ」とは、チャンネルの名称を含んだ情報のことをいう。「ＥＩＴ」とは、番組の名称や放送日時、放送内容など、番組に関連する情報のことをいう。ＥＰＧは主にこの情報を用いて作成される。「ＴＯＴ」とは、現在の日付、時刻、およびサマータイムなどの情報のことをいう。
【００２３】
なお、ＳＩはＰＳＩの一部であると見なして、ＰＳＩ／ＳＩ情報としてまとめて扱われる場合が多い。また、ＳＩにはＥＰＧのほぼ全てが含まれるので、ＳＩ／ＥＰＧとまとめて扱う場合も多い。以下の説明においても、ＳＩはＰＳＩの一部であると見なして説明をする。またＰＳＩはＴＳ内に含まれる。
【００２４】
以上述べたように、当該ＰＳＩにはＮＩＴ、ＰＡＴ、ＰＭＴが含まれている。また、ＮＩＴ、ＰＡＴ、ＰＭＴには選局情報が記述されており、当該選局情報は階層構造を持っている。ここで、「ＮＩＴ」には、放送全体に関する選局情報として、物理チャンネルであるトランスポンダの周波数と各トランスポンダに属するプログラムすなわち「サービスＩＤ」などが記述される。また、「ＰＡＴ」は、トランスポンダ毎に定義され、そのトランスポンダの選局情報として、当該トランスポンダで現在放送されているサービスＩＤとそのサービスＩＤに関する選局情報であるＰＭＴのＰＩＤが記述される。ＰＭＴは、サービスＩＤ毎に定義され、そのサービスＩＤの選局情報として、サービスＩＤに含まれているＥＳ又はＰＳ（Ｐｒｉｖａｔｅ  Ｓｅｃｔｉｏｎ）についての情報が記述される。したがって、最終的には、ＰＭＴにより得られたＥＳ或いはＰＳのＰＩＤに基づいて、これらＥＳ或いはＰＳを分離し、処理装置へ割り当てることにより、選局が行われる。また、複数のネットワークから構成され、複数のネットワーク全体でサービスＩＤが重複することなく割り当てられている地上デジタルテレビ放送の選局にはネットワークＩＤを利用できる。ここで「ネットワークＩＤ」とは、ネットワークごとにユニークに割り当てられた識別子のことをいう。すでに、サービスが開始されているＣＳデジタル放送では、例えばスカイサービス、パーフェクＴＶサービス、ＤｉｒｅｃＴＶサービスといった各放送事業者に対してネットワークＩＤが一つずつ付与されており、ＴＳ−ＩＤ、サービスＩＤは、少なくともネットワークＩＤ内でユニークとなっている。
より詳細な第一出力中番組情報取得部の構成については、後述の<実施形態１の実施例>で説明する。
【００２５】
（第一出力中番組情報送信部）
【００２６】
「第一出力中番組情報送信部」は、第一出力中番組情報取得部が取得した出力中番組情報を固定受信機に送信するように構成されている。送信の起動は、一例として、携帯受信機に取り付けられたボタンの押下によって行われる。ボタンの押下によって、起動信号が第一出力中番組情報取得部に入力され、第一出力中番組情報送信部は出力中番組情報を第二出力中番組情報受信部に対して送信する。第一出力中番組情報送信部から第二出力中番組情報受信部に対して行う通信方法には、一例として、ＩｒＤＡ（Ｉｎｆａｒｅｄ  Ｄａｔａ  Ａｓｓｏｃｉａｔｉｏｎ）を利用した赤外線通信、ＢｌｕｅＴｏｏｔｈを利用した無線通信、ケーブルを利用した有線通信、携帯受信機を固定受信機に装着し電気信号線を物理的に接触させて行う通信などが挙げられる。
【００２７】
<固定受信機>
（第二出力中番組情報受信部）
「第二出力中番組情報受信部」は、携帯受信機の第一出力中番組情報送信部が送信した出力中番組情報を受信するように構成されている。第二出力中番組情報受信部は、受信した出力中番組情報を第二出力中番組情報依存選局部に出力する。
【００２８】
（第二出力中番組情報依存選局部）
【００２９】
「第二出力中番組情報依存選局部」は、第二出力中番組情報受信部が受信した出力中番組情報に基づいて地上デジタルテレビ放送の選局をするように構成されている。より詳細な第二出力中番組情報依存選局部の構成については、後述の<実施形態１の実施例>で説明する。
【００３０】
<処理の流れ>
以下に本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図３は、本実施形態の処理の流れを示す図である。
<携帯受信機>
まず、第一出力中番組情報取得ステップにおいて携帯受信機は、視聴のために出力中の番組に関する出力中番組情報を取得する（ステップＳ０３０１）。次に、第一出力中番組情報送信ステップにおいて携帯受信機は、第一出力中番組情報取得ステップが取得した出力中番組情報を固定受信機に送信する（ステップＳ０３０２）。
<固定受信機>
次に、第二出力中番組情報受信ステップにおいて固定受信機は、携帯受信機の第一出力中番組情報送信ステップが送信した出力中番組情報を受信する（ステップＳ０３０３）。次に、第二出力中番組情報依存選局ステップにおいて固定受信機は、第二出力中番組情報受信ステップが受信した出力中番組情報に基づいて地上デジタルテレビ放送の選局をする（ステップＳ０３０４）。
【００３１】
<具体例に基づく説明>
以下に本実施形態の具体例について説明する。
図４は、本実施形態の地上デジタルテレビ選局システムの具体的機能ブロックの一例を示す図である。地上デジタルテレビ選局システム０４００は、携帯受信機０４０１と、固定受信機０４０４と、からなる。携帯受信機は、第一出力中番組情報取得部０４０２と、第一出力中番組情報送信部０４０３と、からなる。固定受信機は、第二出力中番組情報受信部０４０５と、第二出力中番組情報依存選局部０４０６と、からなる。なお、出力中番組情報を「サービスＩＤ：ｓｉｄ１」とし、「サービスＩＤ：ｓｉｄ１」から選局されるチャンネルを「ＢＳ−１：１チャンネル」であるとしている。
【００３２】
<具体的処理の流れ>
以下に本実施形態の具体的処理の流れについて説明する。
図５は、本実施形態の具体的処理の流れを示す図である。
<携帯受信機>
まず、第一出力中番組情報取得ステップにおいて携帯受信機は、視聴のために出力中の番組に関する出力中番組情報「サービスＩＤ：ｓｉｄ１」を取得する（ステップＳ０５０１）。次に、第一出力中番組情報送信ステップにおいて携帯受信機は、第一出力中番組情報取得ステップが取得した出力中番組情報「サービスＩＤ：ｓｉｄ１」を固定受信機に送信する（ステップＳ０５０２）。
<固定受信機>
次に、第二出力中番組情報受信ステップにおいて固定受信機は、携帯受信機の第一出力中番組情報送信ステップが送信した出力中番組情報「サービスＩＤ：ｓｉｄ１」を受信する（ステップＳ０５０３）。次に、第二出力中番組情報依存選局ステップにおいて固定受信機は、第二出力中番組情報受信ステップが受信した出力中番組情報「サービスＩＤ：ｓｉｄ１」に基づいて地上デジタルテレビ放送の選局「ＢＳ−１：１チャンネル」をする（ステップＳ０５０４）。
【００３３】
（実施形態１の実施例）
【００３４】
以下、本実施形態の地上デジタルテレビ選局システムの実施例について説明する。本実施例の地上デジタルテレビ選局システムでは、固定受信機は携帯受信機からの情報を元に選局可能で、かつ携帯受信機は固定受信機からの情報を元に選局可能である。また固定受信機と携帯受信機間の通信は赤外線を用いている。
【００３５】
図６は本実施例の選局方法を実現するための構成を示した地上デジタル放送選局システムの一例を示す具体的機能ブロック構成図である。この図６では、本実施形態の選局システムに関わる部分の機能ブロックのみを記載している。本実施例の地上デジタル放送選局システム０６００は、携帯受信機０６０１と、固定受信機０６０２と、からなる。携帯受信機は、第一出力中番組情報取得部０６０３と、第一出力中番組情報送信部０６０４と、選局制御部０６０５と、キーＩ／Ｆ（ＩｎｔｅｒＦａｃｅ）０６０６と、第一ＣＰＵ０６０７と、からなる。また、第一出力中番組情報取得部は、第一アンテナ０６０８と、第一ＦＥ（Ｆｒｏｎｔ  Ｅｎｄ：フロントエンド）０６０９と、第一ＤＥＭＵＸ（ＤＥ  ＭＵｌｔｉｐｌｅＸｅｒ）０６１０と、第一ＢＭＬ（Ｂｒｏａｄｃａｓｔ  Ｍａｒｋｕｐ  Ｌａｎｇｕａｇｅ）ブラウザ手段０６１１と、第一ＡＶ（Ａｕｄｉｏ  Ｖｉｓｕａｌ）デコード手段０６１２と、第一ＴＳ情報解析手段０６１３と、第一出力モニタ・スピーカ手段０６１４と、第一メモリ手段０６１５と、を有する。固定受信機は、第二出力中番組情報受信部０６１６と、第二出力中番組情報依存選局部０６１７と、第二ＣＰＵ０６１８と、からなる。また、第二出力中番組情報依存選局部は、第二アンテナ０６１９と、第二ＦＥ０６２０と、第二ＤＥＭＵＸ０６２１と、第二ＢＭＬブラウザ手段０６２２と、第二ＡＶデコード手段０６２３と、第二ＴＳ情報解析手段０６２４と、第二出力モニタ・スピーカ手段０６２５と、第二メモリ手段０６２６と、を有する。
【００３６】
図６において、携帯受信機は本発明の選局システムを搭載した地上デジタル放送の携帯端末用放送の受信機、固定受信機は本発明の選局システムを搭載した地上デジタル放送の固定端末用放送の受信機である。携帯受信機と固定受信機は、選局に必要なデータを赤外線で送受信する。
【００３７】
図６の携帯受信機において、「第一アンテナ」は、地上デジタルテレビ放送受信用のアンテナである。「第一ＦＥ」は、チューナ手段や放送波復調手段を含む。「第一ＤＥＭＵＸ」は、第一ＦＥから出力されるＴＳ（トランスポートストリーム）をパケット種別毎に分離するブロックである。第一ＤＥＭＵＸは、パケット種別がデータカルーセルやイベントメッセージなら第一ＢＭＬブラウザ手段に、オーディオやビデオなら第一ＡＶデコード手段に、放送網の構成情報を表すＰＳＩ（Ｐｒｏｇｒａｍ  Ｓｐｅｃｉｆｉｃ  Ｉｎｆｏｒｍａｔｉｏｎ）や、番組タイトル、放送時間、チャンネル等の詳細情報を示すＳＩ（Ｓｅｒｖｉｃｅ  Ｉｎｆｏｒｍａｔｉｏｎ）なら第一ＴＳ情報解析手段に処理を渡す。ここで「ＢＭＬ」とは、ＡＲＩＢ−Ｂ２４規格案で定義されるマルチメディア表現に用いるタグ・属性のみを対象としたＸＭＬ（ｅＸｔｅｎｓｉｂｌｅ  Ｍａｒｋｕｐ  Ｌａｎｇｕａｇｅ）応用言語のことをいう。また「ＢＭＬブラウザ」とは、ＢＭＬで記述されたコンテンツを閲覧するためのアプリケーションソフトのことをいう。「第一ＢＭＬブラウザ手段」は、入力されたデータカルーセルやイベントメッセージのパケットを閲覧可能な状態に処理して、第一出力モニタ・スピーカに出力する。「第一ＡＶデコード手段」は、入力されたオーディオ、ビデオのパケットを閲覧可能な状態に処理して、第一出力モニタ・スピーカに出力する。また「第一ＴＳ情報解析手段」は、第一ＤＥＭＵＸで分離されたＰＳＩ／ＳＩセクションを解析し、ＴＳに関する情報を第一メモリ手段に格納する。ここでいうＴＳに関する情報とは、ネットワークＩＤ、ネットワーク名、ＴＳ−ＩＤ、ＴＳ名、視聴中のサービスＩＤ、サービス名、さらに受信中の周波数等である。また、「第一メモリ手段」には、視聴者がテレビ放送を受信している位置で受信可能な放送局のリストが、上記のＴＳに関する情報とともに予め格納されている。「第一出力モニタ・スピーカ手段」は、第一ＡＶデコード手段や第一ＢＭＬブラウザ手段が出力する動画、音声、データ放送を視聴者に提示するブロックである。「キーＩ／Ｆ」は、視聴者が携帯受信機に付属するボタンを押下したときにその内容を解釈し、選局に関する操作のとき、選局制御部に指示を送るブロックのことをいう。「選局制御部」は、キーＩ／Ｆからの指示により、固定受信機へ選局情報を含む出力中番組情報を送信するように、第一出力中番組情報送信部に指示する。出力中番組情報は、携帯受信機の第一出力中番組情報送信部から、固定受信機の第二出力中番組情報受信部に送信される。以上のブロックは第一ＣＰＵにより制御される。
【００３８】
固定受信機の各ブロックの機能は、基本的には携帯受信機の各ブロックの機能と同じであるため説明を省略するが、本実施例の場合、選局の起動は常に携帯受信機から行うことを前提とするため、固定受信機には、キーＩ／Ｆは存在しない。
【００３９】
次に携帯受信機から固定受信機の選局を行う場合の処理の流れについて説明する。
本実施例では、選局を行うために携帯受信機と固定受信機間で通信される情報としてネットワークＩＤを採用している。ここで通信される情報はネットワークＩＤに限らず、サービスＩＤ、ＴＳ−ＩＤ等、携帯受信機と固定受信機がどちらも受信可能なＰＳＩであるＮＩＴ（Ｎｅｔｗｏｒｋ  Ｉｎｆｏｒｍａｔｉｏｎ  Ｔａｂｌｅ）から取得できる情報のうちのひとつであったり、受信周波数であったり、携帯受信機向け放送と固定受信機向け放送を関連付けられる情報であればよい。
【００４０】
図７は携帯受信機で地上デジタルテレビ視聴中に、固定受信機を携帯受信機で視聴中のチャンネルに選局する処理の一例を示すフローチャートである。図７は固定受信機がスタンバイ状態のときに、携帯受信機から携帯受信機で視聴中のチャンネルのネットワークＩＤを受信して、視聴者に当該チャンネルの画音を提示する動作を表している。ここでの固定受信機のスタンバイ状態とは、視聴者にテレビの画音提示を行っていないが、第二出力中番組情報受信部を通して携帯受信機からの制御は受信可能な状態のことをいう。携帯受信機で視聴者がデジタルテレビを視聴中（ステップＳ０７０１）のとき、第一メモリ手段内には現在受信中のＴＳの情報が格納されている。これはチャンネル選択（現在チャンネル視聴開始）時に携帯受信機で以前取得した情報から抽出したものである場合と、受信中に第一ＴＳ情報解析手段が受信ＴＳから取得したものである場合がある。この状態で視聴者が固定受信機の周辺（赤外線通信可能な範囲）に移動し、固定受信機選局ボタンを押下（ステップＳ０７０２）すると、キーＩ／Ｆがその視聴者操作を解釈し、固定受信機の選局を選局制御部に対して指示する。固定受信機の選局指示を受けた選局制御部は、現在受信中のチャンネルのネットワークＩＤを第一メモリ手段から読み出し（ステップＳ０７０３）、第一出力中番組情報送信部を通して、固定受信機へネットワークＩＤとともに選局指示を送信する（ステップＳ０７０４）。スタンバイ状態（ステップＳ０７０５）にあった固定受信機は、携帯受信機から選局指示とともにネットワークＩＤを受信（ステップＳ０７０６）すると、自身の第二メモリ手段内に、当該ネットワークＩＤを検索する。該当するネットワークＩＤが見つかったら、そのネットワークＩＤに対応するチャンネルの受信周波数を取得し（ステップＳ０７０７）、第二ＦＥに受信周波数を設定する（ステップＳ０７０８）。第二ＴＳ情報解析手段は当該受信周波数でＰＡＴ（Ｐｒｏｇｒａｍ  Ａｓｓｏｃｉａｔｉｏｎ  Ｔａｂｌｅ）、ＰＭＴ（Ｐｒｏｇｒａｍ    Ｍａｐｐｅｄ    Ｔａｂｌｅ）等のＰＳＩの解析を行い、オーディオ。ビデオ等各ＥＳ（Ｅｌｅｍｅｎｔａｒｙ  Ｓｔｒｅａｍ）のＰＩＤ（パケットのＩＤ）を取得（ステップＳ０７０９）し、第二ＤＥＭＵＸに設定する（ステップＳ０７１０）。第二ＡＶデコード手段、第二ＢＭＬブラウザ手段は、第二ＤＥＭＵＸ出力されたデータから、視聴者に提示する画音を生成し、第二出力モニタ・スピーカ手段を通して、テレビ放送を視聴者に提示する（ステップＳ０７１１）。
【００４１】
以上が、携帯受信機から固定受信機の選局を行う場合の処理の流れである。この例では固定受信機の初期状態をスタンバイ状態としたが、固定受信機が既に他のチャンネルを受信中のときに、携帯受信機から選局を行う場合も同様の処理となる。また、上記においては、固定受信機選局ボタンを押下することにより、固定受信機の選局を行うこととしたが、固定受信機の選局を自動で行うこともできる。例えば、視聴者が固定受信機の周辺（赤外線通信可能な範囲）に移動し、携帯受信機と固定受信機の通信が可能な状態となったときに、自動的に固定受信機の選局を選局制御部に対して指示するように構成することも可能である。さらに固定受信機が既に他のチャンネルを受信中のときに、自動的に固定受信機の選局をする場合には、優先順位をつけて選局を行うこともできる。例えば、他のチャンネルを受信中のときには、携帯受信機からの選局ができないようにしたり、チャンネルによって優先順位をつけたりしておくことも可能である。チャンネルによって優先順位をつける場合には、例えば、チャンネル番号が若いものが優先されるとか、子供向け番組よりも大人向け番組のチャンネルが優先されるように、地上デジタルテレビ選局システムを構成することもできる。
【００４２】
<実施形態１の効果の簡単な説明>
本実施形態の地上デジタルテレビ選局システムによれば、携帯受信機で地上デジタル放送の番組を視聴していた視聴者が、固定受信機の周辺に移動した場合に、簡単な操作で携帯受信機で視聴中の番組と同じ番組を固定受信機で視聴することが可能となる。
【００４３】
<<実施形態２>>
以下に、実施形態２について説明する。
【００４４】
<実施形態２の概念>
以下に、本実施形態の概念について説明する。
図８は、本実施形態の概念の一例を説明するための図である。現在、視聴者は、固定受信機０８０１で地上デジタルテレビ放送のアメリカンフットボール番組（ＢＳ−１：２チャンネル）を視聴しているものとする。ここで外出などのために、携帯受信機を利用して、現在固定受信機で視聴中の番組を継続して視聴したい場合、視聴者は、携帯受信機の携帯受信機選択ボタンを押下する（ステップ１）。すると、携帯受信機から出力された携帯受信機を選択する携帯受信機選択信号が固定受信機に送信される（ステップ２）。固定受信機は、受信した携帯受信機選択信号に基づいて、現在ディスプレイに出力中の番組情報（チャンネル：ＢＳ−１  ２チャンネル、番組：アメリカンフットボール）を携帯受信機に送信する（ステップ３）。固定受信機から番組情報（チャンネル：ＢＳ−１  ２チャンネル、番組：アメリカンフットボール）を受信した携帯受信機は、受信した番組情報に基づいて「ＢＳ−１：２チャンネル、アメリカンフットボール」を選局する（ステップ４）。
【００４５】
<構成要件の明示>
以下に、本実施形態の構成要件を明示する。
図９は、本実施形態の地上デジタルテレビ選局システムの機能ブロックの一例を示す図である。地上デジタルテレビ選局システム０９００は、固定受信機０９０１と、携帯受信機０９０４と、からなる。固定受信機は、第二出力中番組情報取得部０９０２と、第二出力中番組情報送信部０９０３と、からなる。携帯受信機は、第一出力中番組情報受信部０９０５と、第一出力中番組情報依存選局部０９０６と、からなる。
【００４６】
<構成要件の説明>
以下に、本実施形態の構成要件について説明する。
【００４７】
<固定受信機>
（第二出力中番組情報取得部）
「第二出力中番組情報取得部」は、出力中番組情報を取得するように構成されている。第二出力中番組情報取得部は、取得した出力中番組情報を、第二出力中番組情報送信部に出力する。出力中番組情報については、実施形態１の（第一出力中番組情報取得部）の説明と同様であるので説明を省略する。
また、より詳細な第二出力中番組情報取得部の構成については、後述の<実施形態２の実施例>で説明する。
【００４８】
（第二出力中番組情報送信部）
【００４９】
「第二出力中番組情報送信部」は、第二出力中番組情報取得部が取得した出力中番組情報を携帯受信機に送信するように構成されている。送信の起動は、一例として、固定受信機に取り付けられたボタンの押下によって行われる。ボタンの押下によって、起動信号が第二出力中番組情報送信部に入力され、第二出力中番組情報送信部は出力中番組情報を第一出力中番組情報受信部に対して送信する。第二出力中番組情報送信部から第一出力中番組情報受信部に対して行う通信方法には、一例として、ＩｒＤＡを利用した赤外線通信、ＢｌｕｅＴｏｏｔｈを利用した無線通信、ケーブルを利用した有線通信、携帯受信機を固定受信機に装着し電気信号線を物理的に接触させて行う通信などが挙げられる。
【００５０】
<携帯受信機>
（第一出力中番組情報受信部）
「第一出力中番組情報受信部」は、固定受信機の第二出力中番組情報送信部が送信した出力中番組情報を受信するように構成されている。第一出力中番組情報受信部は、受信した出力中番組情報を第一出力中番組情報依存選局部に出力する。
【００５１】
（第一出力中番組情報依存選局部）
【００５２】
「第一出力中番組情報依存選局部」は、第一出力中番組情報受信部が受信した出力中番組情報に基づいて地上デジタルテレビ放送の選局をするように構成されている。より詳細な第一出力中番組情報依存選局部の構成については、後述の<実施形態２の実施例>で説明する。
【００５３】
<処理の流れ>
以下に本実施形態の処理の流れについて説明する。
図１０は、本実施形態の処理の流れを示す図である。
<固定受信機>
まず、第二出力中番組情報取得ステップにおいて固定受信機は、視聴のために出力中の番組に関する出力中番組情報を取得する（ステップＳ１００１）。次に、第二出力中番組情報送信ステップにおいて固定受信機は、第二出力中番組情報取得ステップが取得した出力中番組情報を携帯受信機に送信する（ステップＳ１００２）。
<携帯受信機>
次に、第一出力中番組情報受信ステップにおいて携帯受信機は、固定受信機の第二出力中番組情報送信ステップが送信した出力中番組情報を受信する（ステップＳ１００３）。次に、第一出力中番組情報依存選局ステップにおいて携帯受信機は、第一出力中番組情報受信ステップが受信した出力中番組情報に基づいて地上デジタルテレビ放送の選局をする（ステップＳ１００４）。
【００５４】
<具体例に基づく説明>
以下に本実施形態の具体例について説明する。
図１１は、本実施形態の地上デジタルテレビ選局システムの具体的機能ブロックの一例を示す図である。地上デジタルテレビ選局システム１１００は、固定受信機１１０１と、携帯受信機１１０４と、からなる。固定受信機は、第二出力中番組情報取得部１１０２と、第二出力中番組情報送信部１１０３と、からなる。携帯受信機は、第一出力中番組情報受信部１１０５と、第一出力中番組情報依存選局部１１０６と、からなる。なお、出力中番組情報を「サービスＩＤ：ｓｉｄ２」とし、「サービスＩＤ：ｓｉｄ２」から選局されるチャンネルを「ＢＳ−１：２チャンネル」であるとしている。
【００５５】
<具体的処理の流れ>
以下に本実施形態の具体的処理の流れについて説明する。
図１２は、本実施形態の具体的処理の流れを示す図である。
<固定受信機>
まず、第二出力中番組情報取得ステップにおいて固定受信機は、視聴のために出力中の番組に関する出力中番組情報「サービスＩＤ：ｓｉｄ２」を取得する（ステップＳ１２０１）。次に、第二出力中番組情報送信ステップにおいて固定受信機は、第二出力中番組情報取得ステップが取得した出力中番組情報「サービスＩＤ：ｓｉｄ２」を携帯受信機に送信する（ステップＳ１２０２）。
<携帯受信機>
次に、第一出力中番組情報受信ステップにおいて携帯受信機は、固定受信機の第二出力中番組情報送信ステップが送信した出力中番組情報「サービスＩＤ：ｓｉｄ２」を受信する（ステップＳ１２０３）。次に、第一出力中番組情報依存選局ステップにおいて携帯受信機は、第一出力中番組情報受信ステップが受信した出力中番組情報「サービスＩＤ：ｓｉｄ２」に基づいて地上デジタルテレビ放送の選局「ＢＳ−１：２チャンネル」をする（ステップＳ１２０４）。
【００５６】
（実施形態２の実施例）
【００５７】
以下、本実施形態の地上デジタルテレビ選局システムの実施例について説明する。本実施例の地上デジタルテレビ選局システムでは、携帯受信機は固定受信機からの情報を元に選局可能で、かつ携帯受信機は固定受信機からの情報を元に選局可能である。また固定受信機と携帯受信機間の通信は赤外線を用いている。
【００５８】
図１３は本実施例の選局方法を実現するための構成を示した地上デジタル放送選局システムの一例を示す具体的機能ブロック構成図である。この図１３では、本実施形態の選局システムに関わる部分の機能ブロックのみを記載している。本実施例の地上デジタル放送選局システム１３００は、固定受信機１３０１と、携帯受信機１３０２と、からなる。固定受信機は、第二出力中番組情報取得部１３０３と、第二出力中番組情報送信部１３０４と、第二選局制御部１３０５と、第二ＣＰＵ０６０７と、からなる。また、第二出力中番組情報取得部は、第二アンテナ１３０７と、第二ＦＥ１３０８と、第二ＤＥＭＵＸ１３０９と、第二ＢＭＬブラウザ手段１３１０と、第二ＡＶデコード手段１３１１と、第二ＴＳ情報解析手段１３１２と、第二出力モニタ・スピーカ手段１３１３と、第二メモリ手段１３１４と、を有する。携帯受信機は、第一出力中番組情報受信部１３１５と、第一出力中番組情報依存選局部１３１６と、第一選局制御部１３１７と、キーＩ／Ｆ１３１８と、第一ＣＰＵ１３１９と、からなる。また、第一出力中番組情報依存選局部は、第一アンテナ１３２０と、第一ＦＥ１３２１と、第一ＤＥＭＵＸ１３２２と、第一ＢＭＬブラウザ手段１３２３と、第一ＡＶデコード手段１３２４と、第一ＴＳ情報解析手段１３２５と、第一出力モニタ・スピーカ手段１３２６と、第一メモリ手段１３２７と、を有する。
【００５９】
図１３において、固定受信機は本発明の選局システムを搭載した地上デジタル放送の固定端末用放送の受信機、携帯受信機は本発明の選局システムを搭載した地上デジタル放送の携帯端末用放送の受信機である。携帯受信機と固定受信機は、選局に必要なデータを赤外線で送受信する。
【００６０】
図１３の固定受信機において、「第二アンテナ」は、地上デジタルテレビ放送受信用のアンテナである。「第二ＦＥ」は、チューナ手段や放送波復調手段を含む。「第二ＤＥＭＵＸ」は、第二ＦＥから出力されるＴＳ（トランスポートストリーム）をパケット種別毎に分離するブロックである。第二ＤＥＭＵＸは、パケット種別がデータカルーセルやイベントメッセージなら第二ＢＭＬブラウザ手段に、オーディオやビデオなら第二ＡＶデコード手段に、放送網の構成情報を表すＰＳＩや、番組タイトル、放送時間、チャンネル等の詳細情報を示すＳＩなら第二ＴＳ情報解析手段に処理を渡す。「第二ＢＭＬブラウザ手段」は、入力されたデータカルーセルやイベントメッセージのパケットを閲覧可能な状態に処理して、第二出力モニタ・スピーカに出力する。「第二ＡＶデコード手段」は、入力されたオーディオ、ビデオのパケットを閲覧可能な状態に処理して、第二出力モニタ・スピーカに出力する。また「第二ＴＳ情報解析手段」は、第二ＤＥＭＵＸで分離されたＰＳＩ／ＳＩセクションを解析し、ＴＳに関する情報を第二メモリ手段に格納する。ここでいうＴＳに関する情報とは、ネットワークＩＤ、ネットワーク名、ＴＳ−ＩＤ、ＴＳ名、視聴中のサービスＩＤ、サービス名、さらに受信中の周波数等である。また、「第二メモリ手段」には、視聴者がテレビ放送を受信している位置で受信可能な放送局のリストが、上記のＴＳに関する情報とともに予め格納されている。「第二出力モニタ・スピーカ手段」は、第二ＡＶデコード手段や第二ＢＭＬブラウザ手段が出力する動画、音声、データ放送を視聴者に提示するブロックである。「第二選局制御部」は、携帯受信機のキーＩ／Ｆからの指示により、携帯受信機へ選局情報を含む出力中番組情報を送信するように、第二出力中番組情報送信部に指示する。出力中番組情報は、固定受信機の第二出力中番組情報送信部から、携帯受信機の第一出力中番組情報受信部に送信される。以上のブロックは第二ＣＰＵにより制御される。
【００６１】
携帯受信機の各ブロックの機能は、基本的には固定受信機の各ブロックの機能と同じであるため説明を省略するが、本実施例の場合、選局の起動は常に携帯受信機から行うことを前提とするため、携帯受信機に、キーＩ／Ｆが存在する。「キーＩ／Ｆ」は、視聴者が携帯受信機に付属するボタンを押下したときにその内容を解釈し、選局に関する操作のとき、第一選局制御部に指示を送るブロックのことをいう。「第一選局制御部」は、キーＩ／Ｆからの指示により、固定受信機から携帯受信機へ選局情報を含む出力中番組情報を送信するように、第一出力中番組情報送信部に指示する。出力中番組情報は、固定受信機の第二出力中番組情報送信部から、携帯受信機の第一出力中番組情報受信部に送信される。以上のブロックは第一ＣＰＵにより制御される。
【００６２】
次に固定受信機から携帯受信機の選局を行う場合の処理の流れについて説明する。
本実施例では、選局を行うために固定受信機と携帯受信機間で通信される情報としてネットワークＩＤを採用している。ここで通信される情報はネットワークＩＤに限らず、サービスＩＤ、ＴＳ−ＩＤ等、携帯受信機と固定受信機がどちらも受信可能なＰＳＩであるＮＩＴから取得できる情報のうちのひとつであったり、受信周波数であったり、固定受信機向け放送と携帯受信機向け放送を関連付けられる情報であればよい。
【００６３】
図１４は固定受信機で地上デジタルテレビ視聴中に、固定受信機から選局に必要な情報を受信して携帯受信機を固定受信機で視聴中のチャンネルに選局する処理を示すフローチャートである。図１４は携帯受信機がスタンバイ状態（ステップＳ１４０５）のときに、携帯受信機から固定受信機に選局起動依頼を送信し、固定受信機から視聴中のチャンネルのネットワークＩＤを受信して、携帯受信機の視聴者に当該チャンネルの画音を提示する動作を表している。ここでの携帯受信機のスタンバイ状態とは、視聴者にテレビの画音提示を行っていないが、第一出力中番組情報受信部を通して固定受信機と赤外線通信は可能な状態をいう。携帯受信機がスタンバイ状態のときに、携帯受信機の視聴者が地上デジタルテレビ放送受信中の固定受信機と赤外線通信可能な範囲内で、携帯受信機選局ボタンを押下（ステップＳ１４０６）すると、キーＩ／Ｆがその視聴者の操作を解釈し、第一選局制御部に携帯受信機選局動作開始を指示する。携帯受信機選局動作開始指示を受けた第一選局制御部は、固定受信機に対して、第一出力中番組情報受信部を通して選局起動依頼メッセージを送信し、選局情報の問い合わせを行う（ステップＳ１４０７）。地上デジタル放送視聴中（ステップＳ１４０１）の固定受信機が、携帯受信機から選局起動依頼メッセージを受信（ステップＳ１４０２）すると、第二選局制御部がそのメッセージ内容を解釈し、携帯受信機の選局起動と判断し、現在受信中のＴＳのネットワークＩＤを第二メモリ手段から取得する（ステップＳ１４０３）。このネットワークＩＤは第二ＴＳ情報解析手段がＰＳＩを解析して、抽出、保存していたものである。第二選局制御部は、第二出力中番組情報送信部を通して、取得したネットワークＩＤとともに選局指示を送信する（ステップＳ１４０４）。携帯受信機は、固定受信機から選局指示とともにネットワークＩＤを受信（ステップＳ１４０８）すると、そのネットワークＩＤに相当するチャンネルを第一メモリ手段内に格納された、受信可能なチャンネルのリストから検索する。該当するネットワークＩＤが見つかったら、そのネットワークＩＤに対応するチャンネルの受信周波数を取得し（ステップＳ１４０９）、第一ＦＥに受信周波数を設定する（ステップＳ１４１０）。また、携帯受信機の場合は該当するＴＳの各ＥＳのＰＩＤも以前に取得して第一メモリ手段内に格納されているので、ここからＰＩＤを取得し（ステップＳ１４１１）、第一ＤＥＭＵＸに設定する（ステップＳ１４１２）。第一ＡＶデコード手段、第一ＢＭＬブラウザ手段は第一ＤＥＭＵＸから出力されたデータから、視聴者に提示する画音を生成し、第一出力モニタ・スピーカ手段）を通して、テレビ放送を視聴者に提示する（ステップＳ１４１３）。以上が、固定受信機から情報を受信して携帯受信機の選局を行う場合の処理の流れである。この例では携帯受信機の初期状態をスタンバイ状態としたが、携帯受信機が既に他のチャンネルを受信中のときに、固定受信機から受信する情報を元に選局を行う場合も同様の処理となる。また、上記においては、携帯受信機選局ボタンを押下することにより、携帯受信機の選局を行うこととしたが、携帯受信機の選局を自動で行うこともできる。例えば、視聴者が固定受信機の周辺（赤外線通信可能な範囲）に移動し、携帯受信機と固定受信機の通信が可能な状態となったときに、自動的に携帯受信機の選局を第一選局制御部に対して指示するように構成することも可能である。さらに携帯受信機が既に他のチャンネルを受信中のときに、自動的に携帯受信機の選局をする場合には、優先順位をつけて選局を行うこともできる。例えば、他のチャンネルを受信中のときには、携帯受信機からの選局ができないようにしたり、チャンネルによって優先順位をつけたりしておくことも可能である。チャンネルによって優先順位をつける場合には、例えば、チャンネル番号が若いものが優先されるとか、子供向け番組よりも大人向け番組のチャンネルが優先されるように、地上デジタルテレビ選局システムを構成することもできる。
【００６４】
以上、本実施例では携帯受信機と固定受信機間で同じチャンネルの選局を行うための情報としてネットワークＩＤを仮定し、両者間の通信手段としては赤外線通信を仮定して説明したが、選局を行うための情報としては、前述のように、ネットワークＩＤに限らず、サービスＩＤ、ＴＳ−ＩＤ等、携帯受信機と固定受信機がどちらも受信可能なＰＳＩであるＮＩＴから取得できる情報のうちのひとつであったり、受信周波数であったり、携帯受信機向け放送と固定受信機向け放送を関連付けられる情報であればよい。また、通信手段も赤外線等の光を用いた通信の他、Ｂｌｕｅｔｏｏｔｈ等の無線通信や、携帯受信機を固定受信機に装着して、直接電気的に接触した通信路を設ける手段でも構わない。
【００６５】
<実施形態２の効果の簡単な説明>
本実施形態の地上デジタルテレビ選局システムによれば、固定受信機で番組を視聴していた視聴者が、簡単な操作で携帯受信機で同じ番組を視聴することも可能となるため、固定受信機と携帯受信機での番組視聴を連続的に行うことができる。
【産業上の利用可能性】
【００６６】
本件発明は、地上デジタル放送を受信する固定受信機と携帯受信機とからなる地上デジタル放送の選局システムに利用可能である。
【図面の簡単な説明】
【００６７】
【図１】実施形態１の概念図
【図２】実施形態１の機能ブロック図
【図３】実施形態１の処理の流れ図
【図４】実施形態１の具体的機能ブロック図
【図５】実施形態１の具体的処理の流れ図
【図６】実施形態１の実施例の具体的機能ブロック図
【図７】実施形態１の実施例の具体的処理の流れ図
【図８】実施形態２の概念図
【図９】実施形態２の機能ブロック図
【図１０】実施形態２の処理の流れ図
【図１１】実施形態２の具体的機能ブロック図
【図１２】実施形態２の具体的処理の流れ図
【図１３】実施形態２の実施例の具体的機能ブロック図
【図１４】実施形態２の実施例の具体的処理の流れ図
【符号の説明】
【００６８】
０２００  地上デジタルテレビ選局システム
０２０１  携帯受信機
０２０２  第一出力中番組情報取得部
０２０３  第一出力中番組情報送信部
０２０４  固定受信機
０２０５  第二出力中番組情報受信部
０２０６  第二出力中番組情報依存選局部
【図１】
2006067198.tif 000003
【図２】
2006067198.tif 000004
【図３】
2006067198.tif 000005
【図４】
2006067198.tif 000006
【図５】
2006067198.tif 000007
【図６】
2006067198.tif 000008
【図７】
2006067198.tif 000009
【図８】
2006067198.tif 000010
【図９】
2006067198.tif 000011
【図１０】
2006067198.tif 000012
【図１１】
2006067198.tif 000013
【図１２】
2006067198.tif 000014
【図１３】
2006067198.tif 000015
【図１４】
2006067198.tif 000016